(57)【要約】【課題】園児の成長に合わせて小刻みな調整が可能であるとともに、見た目にも園児の興味を惹きつけるのに寄与する高さ位置を調節可能な可動体（机や椅子）を提供する。【解決手段】高さ位置を調節可能な可動体２０は、最上部に位置する天板２１と天板に連なる棒状部材２３とによって上体を、最下部に位置する台座２５と台座と一体の仕切部材２４とによって下体を、それぞれ構成する。仕切部材２４には棒状部材２３が連通する連通孔が形成され、棒状部材の上部及び下部を仕切っている。仕切部材の上部側に棒状部材の周囲に当接して固定されるピース部材を積み重ねることにより、上体及び下体の相対的位置関係を変化させて天板２１と仕切部材２４との距離を離間させ、相対的に天板の対地距離を増加させる。【選択図】図２
2014237051.tif 000002
【特許請求の範囲】
【請求項１】
最上部に位置する天板と前記天板に連なる棒状部材とによって上体を、最下部に位置する台座と前記台座と一体の仕切部材とによって下体を、それぞれ構成した高さ位置を調節可能な可動体であって、
前記棒状部材が連通する連通孔が形成された前記仕切部材は、前記棒状部材の上部及び下部を仕切っており、
前記仕切部材の上部側に前記棒状部材の周囲に当接して固定されるピース部材を積み重ねることにより、前記上体及び前記下体の相対的位置関係を変化させて前記天板と前記仕切部材との距離を離間させ、相対的に天板の対地距離を増加させる、高さ位置を調節可能な可動体。
【請求項２】
前記仕切部材の下部側には、前記仕切部材の上部側に積み重ねられるピース部材が着脱容易に設けられている請求項１記載の高さ位置を調節可能な可動体。
【請求項３】
前記ピース部材としては、
前記棒状部材に連通される連通孔が形成されている第１のピース部材と、
前記棒状部材の下部側最端に設置され、前記第１のピース部材の自重落下を抑止する第２のピース部材と、があり、
前記第２のピース部材は、前記棒状部材を軸受けする凹状の軸受部と、前記棒状部材とをネジ留めするためのネジ孔と、が形成されている請求項１又は２記載の高さ位置を調節可能な可動体。
【請求項４】
前記可動体は、椅子又は机である請求項１から３のいずれか記載の高さ位置を調節可能な可動体。
【発明の詳細な説明】
【技術分野】
【０００１】
本発明は、人の成長に合わせて小刻みに高さ位置を調整可能な可動体に関する。
【背景技術】
【０００２】
近年、幼稚園や保育園における幼児教育が盛んになっており、園児が園内において机と椅子を使用して教育を受けることが行われている。従来では、園児４名又は６名といった複数人が一緒になって同じ机を共有するという大テーブルを用いての活動が一般的であり、小学校や中学校で使用するような１人机を用いるということはほとんどなかった。
なお、本発明に近似する特許文献は発見し得ない。
【発明の概要】
【発明が解決しようとする課題】
【０００３】
ところで、小学校や中学校で使用するような１人机によっては、人の成長に合わせて高さ位置を調整可能ではあるものの、園児の成長に合わせて小刻みな調整が可能ではない。
【０００４】
また、単に高さ位置を調整可能な机と椅子ではなく、園児の興味を惹きつけるような机と椅子を使用することで、より教育効果が上がることが期待される。
【０００５】
そこで、本発明は、園児の成長に合わせて小刻みな調整が可能であるとともに、見た目にも園児の興味を惹きつけるのに寄与する高さ位置を調節可能な可動体を提供する。
【課題を解決するための手段】
【０００６】
本発明は、上記課題を解決するために、以下のものを提供する。
【０００７】
（１）  最上部に位置する天板と前記天板に連なる棒状部材とによって上体を、最下部に位置する台座と前記台座と一体の仕切部材とによって下体を、それぞれ構成した高さ位置を調節可能な可動体であって、最上部に位置する天板と前記天板に連なる棒状部材とによって上体を、最下部に位置する台座と前記台座と一体の仕切部材とによって下体を、それぞれ構成した高さ位置を調節可能な可動体であって、前記棒状部材が連通する連通孔が形成された前記仕切部材は、前記棒状部材の上部及び下部を仕切っており、前記仕切部材の上部側に前記棒状部材の周囲に当接して固定されるピース部材を積み重ねることにより、前記上体及び前記下体の相対的位置関係を変化させて前記天板と前記仕切部材との距離を離間させ、相対的に天板の対地距離を増加させる、高さ位置を調節可能な可動体。
【０００８】
本発明によれば、上体と下体とによって構成され、上体及び下体の相対的位置関係を変化させることで高さ位置を調節可能な可動体を提供する。ここで、高さ位置を調節可能な可動体としては、机、椅子、テーブルなど、如何なるものであってもよい。
【０００９】
また、本発明に係る高さ位置を調節可能な可動体は、前記棒状部材の周囲に当接して固定されるピース部材を有し、前記仕切部材の上部側に前記ピース部材を積み重ねる。
【００１０】
本発明によれば、仕切部材の上部側にピース部材を積み重ねることにより、ピース部材の厚みの分だけ天板と仕切部材との距離を離間させ、相対的に天板の対地距離を増加させることで高さ位置を調節可能な可動体を提供する。また、ピース部材によって上げられている天板は、園児の成長に合わせて小刻みな調整が可能であるとともに、積木遊びのような見た目にも園児の興味を惹きつけるのに寄与するものである。
【００１１】
（２）  前記仕切部材の下部側には、前記仕切部材の上部側に積み重ねられるピース部材が着脱容易に設けられている高さ位置を調節可能な可動体。
【００１２】
本発明によれば、仕切部材の下部側に設けられているピース部材は、積木遊びのような見た目にも園児の興味を惹きつけるのに寄与するものである。また、仕切部材の上部側に積み重ねられるための予備として保管が容易である。
【００１３】
（３）  前記ピース部材としては、前記棒状部材に連通される連通孔が形成されている第１のピース部材と、前記棒状部材の下部側最端に設置され、前記第１のピース部材の自重落下を抑止する第２のピース部材と、があり、前記第２のピース部材は、前記棒状部材を軸受けする凹状の軸受部と、前記棒状部材とをネジ留めするためのネジ孔と、が形成されている高さ位置を調節可能な可動体。
【００１４】
本発明によれば、第１のピース部材とそれを受ける第２のピース部材との組み合わせにより、仕切部材の下部側に位置するピース部材の着脱を容易にするとともに、積木遊びのような見た目にも園児の興味を惹きつけるのに寄与するものであり、また、仕切部材の上部側に積み重ねられるための予備として保管が容易である。
【発明の効果】
【００１５】
本発明の高さ位置を調節可能な可動体は、上体及び下体の相対的位置関係を変化させることで高さ位置を調節可能で、高さ位置の調節に資するピース部材は、積木遊びのような見た目にも園児の興味を惹きつけ、予備として保管が容易であるという効果がある。
【図面の簡単な説明】
【００１６】
【図１】本発明の実施の形態に係る机類を示す図。
【図２】本発明の実施の形態に係る椅子類を示す図。
【図３】本発明の実施の形態に係る椅子類を示す図。
【図４】ピース部材の例を示す図。
【図５】本発明の実施の形態に係る机類の高さ位置の調節を説明するための図。
【図６】本発明の実施の形態に係る椅子類の高さ位置の調節を説明するための図。
【発明を実施するための形態】
【００１７】
以下、本発明の実施の形態について図面に基づいて説明する。
【００１８】
図１は、本発明の実施の形態に係る机類１０を示す図であり、（Ａ）は上面図、（Ｂ）は正面図、（Ｃ）は側面図（左側面及び右側面は同一）である。
【００１９】
天板１１は、机類１０の最上部に位置する表面が平滑状の部材であり、机類１０の使用時には、天板１１上に学習用具、飲食物、食器等の使用者の利用に供するものを置くことができる。
【００２０】
天板１１の下部に位置する収容箱は、上板１２ａ，下板１２ｂ，右側板１２ｃ，左側板１２ｄから構成されており、１２ａ乃至１２ｄで閉口された収容部１２は正面が開口されている。また、上板１２ａ及び下板１２ｂは右側板１２ｃ及び左側板１２ｄよりも突出して構成されている（図１（Ｂ））。なお、収容部１２の背面は開口されていても、背板（図示せず）によって閉口されていてもよい。
【００２１】
棒状部材１３ａ乃至１３ｄは、天板の四隅に連なっており、上板１２ａ及び下板１２ｂに固定され、右仕切部材１４ａ及び左仕切部材１４ｂを貫通している。棒状部材１３ａが仕切部材によって仕切られて形成される上部１３ａ１及び下部１３ａ２は、上部１３ａ１を長くして下部１３ａ２側を短くする、すなわち、天板１１と仕切部材１４ａとの距離を離間させ、相対的に天板１１の対地距離を増加させることによって机類１０の高さ位置を調節可能である。換言すれば、机類１０の上体は、天板１１，収容部１２（上板１２ａ，下板１２ｂ，右側板１２ｃ，左側板１２ｄ），棒状部材１３ａ乃至１３ｄによって一体として構成され、机類１０の下部との相対的位置関係を変化させることによって机類１０の高さ位置を調節可能である。
【００２２】
右仕切部材１４ａ及び左仕切部材１４ｂは、棒状部材の上部及び下部を相対的に仕切るための貫通孔を有しており、右仕切部材１４ａには棒状部材１３ａ及び棒状部材１３ｃが、左仕切部材１４ｂには棒状部材１３ｂ及び棒状部材１３ｄが、それぞれ挿入される。
【００２３】
台座１５ａ，１５ｂは、最下部に位置して床や地面と当接するものである。机類１０の下部は、台座１５ａ及び右仕切部材１４ａと台座１５ｂ及び左仕切部材１４ｂによってそれぞれ一体として構成され、机類１０の上部との相対的位置関係を変化させることによって机類１０の高さ位置を調節可能である。なお、右仕切部材１４ａ及び左仕切部材１４ｂを一体として構成し、台座１５ａ，１５ｂを一体とした仕切部材（右仕切部材１４ａ及び左仕切部材１４ｂ）と一体にして、机類１０の下部を構成してもよい。
【００２４】
図２は、本発明の実施の形態に係る椅子類２０を示す図であり、（Ａ）は上面図、（Ｂ）は側面図（左側面、右側面、正面、背面は同一）である。
【００２５】
天板２１は、椅子類２０の最上部に位置する表面が平滑状の部材であり、椅子類２０の使用時には、天板２０上に使用者が座ることができる。
【００２６】
棒状部材２３ａ乃至２３ｄは、天板の円周方向４箇所に均等に配置して連なっており、天板２１の下部に位置する下板２２に固定され、仕切部材２４を貫通している。棒状部材２３ａが仕切部材によって仕切られて形成される上部２３ａ１及び下部２３ａ２は、上部２３ａ１を長くして下部２３ａ２側を短くする、すなわち、天板２１と仕切部材２４との距離を離間させ、相対的に天板２１の対地距離を増加させることによって椅子類２０の高さ位置を調節可能である。換言すれば、椅子類２０の上部は、天板２１，下板２２，棒状部材２３ａ乃至２３ｄによって一体として構成され、椅子類２０の下部との相対的位置関係を変化させることによって椅子類２０の高さ位置を調節可能である。
【００２７】
仕切部材２４は、天板２１よりも小径の中空円柱であり、棒状部材の上部及び下部を相対的に仕切るための貫通孔を４つ有しており、棒状部材２３ａ乃至２３ｄがそれぞれ挿入される。
【００２８】
台座２５は、最下部に位置して床や地面と当接するものであり、天板２１よりも小径の中空円柱である。台座２５と仕切部材２４とは連結部材２６ａ乃至２６ｄによって連結されている。すなわち、椅子類２０の下部は、仕切部材２４及び台座２５とこれらを連結する連結部材２６ａ乃至２６ｄによってそれぞれ一体として構成され、椅子類２０の上部との相対的位置関係を変化させることによって椅子類２０の高さ位置を調節可能である。
【００２９】
図３は、本発明の実施の形態に係る椅子類２０の構成状態を示す図である。
【００３０】
椅子類２０は、円形平板の天板２１を最上部に、天板２１よりも小径の円形平板の下板２２及び仕切部材２４を仲介して、天板２１よりも小径の円形平板の台座２５を最下部に位置させる。下板２２には、棒状部材２３ａ乃至２３ｄが固定されており、仕切部材２４には、棒状部材２３ａ乃至２３ｄが貫通する貫通孔が形成されている。また、仕切部材２４の下部には連結部材２６ａ乃至２６ｄが固定されており、これらの連結部材２６ａ乃至２６ｄは台座２５の上部にも固定されている。中空部２７は、下板２２、仕切部材２４及び台座２５に設けられている。
【００３１】
図４は、本発明の実施の形態に係るピース部材３０，３３を示す図であり、（Ａ）は第１のピース部材３０、（Ｂ）及び（Ｃ）は第２のピース部材３３である。
【００３２】
第１のピース部材３０は、本体３１に棒状部材に連通される連通孔３２が形成されているドーナツ型である。第２のピース部材３３は、表面が本体３４に凹状の軸受部３５が形成され、中心軸部にネジ孔３６が形成されており、裏面が本体３４にネジ孔３６が形成されている。軸受部３５の径は棒状部材１３ａ乃至１３ｄ又は２３ａ乃至２３ｄと略同径である。
【００３３】
図１（Ｃ）又は図２（Ａ）に示すように、第１のピース部材３０を複数積み重ね、棒状部材の最下端に第２のピース部材３３を設置することで、第１のピース部材３０の自重落下を抑止している。
【００３４】
図５は、本発明の実施の形態に係る机類１０の高さ位置の調節を説明するための図であり、（Ａ）から（Ｂ）で高さが高くなっている状態を示している。また、図６は、本発明の実施の形態に係る椅子類２０の高さ位置の調節を説明するための図であり、（Ａ）から（Ｂ）で高さが高くなっている状態を示している。
【００３５】
図５及び図６においては、第１のピース部材３０を仕切部材１４ａ（１４ｂ），２４の上部側に段々と積み重ねることによって、天板１１，２１の高さを高くすることができる。逆に、仕切部材１４ａ（１４ｂ），２４の上部側に積み重ねる第１のピース部材３０を少なくすれば、天板１１，２１の高さを低くすることができる。また、第１のピース部材３０の厚みによって、高さ位置の小刻みな調整が可能である
【産業上の利用可能性】
【００３６】
本発明に係る高さ位置を調節可能な可動体は、人の成長に合わせて小刻みに高さ位置を調整可能なものとして有用である。
【符号の説明】
【００３７】
１０  机類
１１  天板
１２  収容部（上板１２ａ，下板１２ｂ，右側板１２ｃ，左側板１２ｄ）
１３ａ〜１３ｄ  棒状部材
１４ａ，１４ｂ  仕切部材
１５ａ，１５ｂ  台座
２０  椅子類
２１  天板
２２  下板
２３ａ〜２３ｄ  棒状部材
２４  仕切部材
２５  台座
２６ａ〜２６ｄ  連結部材
３０，３３  ピース部材
【図１】
2014237051.tif 000003
【図２】
2014237051.tif 000004
【図３】
2014237051.tif 000005
【図４】
2014237051.tif 000006
【図５】
2014237051.tif 000007
【図６】
2014237051.tif 000008